(57)【要約】【課題】  簡単な構造で水道水等から不純物等を除去すると共にカルシウムやマグネシウム等のミネラルを多量に含んだ美味な飲料水を得ることができる浄水フィルタ、浄水カートリッジ、ウォーターサーバータンク及びウォーターサーバーシステムを提供する。【解決手段】  飲料水中の不純物等を除去する浄水フィルタＦにおいて、少なくとも、浄水・制菌層１と、活性コーラルサンド４及び銀添コーラルサンド５を有するコーラルサンド層３とを備えたことを特徴とする。【選択図】図１
2007136304.tif 000002
【特許請求の範囲】
【請求項１】
飲料水中の不純物等を除去する浄水フィルタにおいて、少なくとも、浄水・制菌層と、活性コーラルサンド及び銀添コーラルサンドを有するコーラルサンド層とを備えたことを特徴とする浄水フィルタ。
【請求項２】
前記浄水・制菌層は、銀添活性炭を有する活性炭層を含むことを特徴とする請求項１に記載の浄水フィルタ。
【請求項３】
前記コーラルサンド層は、サンゴセラミックボールを有することを特徴とする請求項１又は請求項２に記載の浄水フィルタ。
【請求項４】
前記浄水・制菌層は、前記コーラルサンド層よりも上流に配置することを特徴とする請求項１乃至請求項３のいずれかに記載の浄水フィルタ。
【請求項５】
前記コーラルサンド層は、前記活性コーラルサンドと前記銀添コーラルサンドとを混合したものであることを特徴とする請求項１乃至請求項４のいずれかに記載の浄水フィルタ。
【請求項６】
前記コーラルサンド層は、前記活性コーラルサンドと前記銀添コーラルサンドと前記サンゴセラミックボールとを混合したものであることを特徴とする請求項３乃至請求項５のいずれかに記載の浄水フィルタ。
【請求項７】
底面に穴の開いたカップ状の容器を有し、前記活性炭層は、前記銀添活性炭を前記カップ状の容器に詰めることで形成し、前記コーラルサンド層は、前記活性コーラルサンドと前記銀添コーラルサンドとを単独又は組み合わせたものを前記容器に詰めることで形成し、前記容器を複数上下に重ねて形成することを特徴とする請求項１乃至請求項６のいずれかに記載の浄水フィルタを含む浄水カートリッジ。
【請求項８】
前記コーラルサンド層は、前記活性コーラルサンドと前記銀添コーラルサンドと前記サンゴセラミックボールとを単独又はそれぞれ組み合わせたものを前記容器に詰めることで形成したことを特徴とする請求項７に記載の浄水カートリッジ。
【請求項９】
飲料水を貯留する上部タンク部と、前記浄水フィルタ又は前記浄水カートリッジを着脱自在に保持する保持手段と、前記上部タンク部に貯留された水道水が前記浄水カートリッジを通過して浄水された濾過水を貯留する下部タンク部と、を有することを特徴とする請求項１乃至請求項８のいずれかに記載の浄水フィルタ又は浄水カートリッジを保持するウォーターサーバータンク。
【請求項１０】
前記浄水フィルタ、前記浄水カートリッジ又は前記ウォーターサーバータンクをウォーターサーバーに着脱自在とすることを特徴とする請求項１乃至請求項９のいずれかに記載のウォーターサーバーシステム。
【発明の詳細な説明】
【技術分野】
【０００１】
本発明は、飲料水中の不純物等を除去すると共に該飲料水にミネラルを供給する機能を有する浄水フィルタと、該浄水フィルタを含む浄水カートリッジ、前記浄水カートリッジを使用するウォーターサーバータンク及びウォーターサーバーシステムに関する。
【背景技術】
【０００２】
近年、水道水中に含まれる塩素や夾雑物を除去するために、活性炭等の濾過材を使用した浄水器が普及してきている。
【０００３】
また、取り替え可能な水容器を収納する容器収納室と、該容器収納室内の水容器を冷却する冷却機構と、水容器に接続する吐水栓より下方に配置されたポット載置台とを備え、ポット載置台は、加熱保温ポットを載置可能なポット載置スペース及びコップ載置スペースを有すると共に、本体ケースに昇降可能に支持され、吐水栓とポット載置台との上下方向間にコップ載置台を配置し、該コップ載置台は、吐水栓に下方から対向する使用位置と収納位置との間で、折り畳み式に位置変更可能とするオフィス等で冷水等を供給するウォーターサーバーがある。
【特許文献１】特開２００５−１３２４２２号公報
【発明の開示】
【発明が解決しようとする課題】
【０００４】
しかしながら、上記従来の浄水器では塩素等をある程度除去することはできるが、トリハロメタン等を除去することができず、また、カルシウムやマグネシウム等のミネラルを含んだ美味な飲料水を得ることはできなかった。
【０００５】
さらに、従来のウォーターサーバーでは、容器収納室に水容器を取り替え可能に収納することで水を供給しており、水が残っていても水容器を所定期間で交換しないと雑菌が繁殖することがあった。また、水容器の交換に手間がかかると共に、水容器の在庫保管場所の必要性や使用済み水容器の処理等が必要となり、水を買うためのコストが高くなっていた。
【０００６】
本発明は、上記課題を解決するものであって、簡単な構造で水道水から塩素やトリハロメタン等を除去すると共にカルシウムやマグネシウム等のミネラルを多量に含んだ美味な飲料水を得ることができる浄水フィルタ、及び、水道水を使用することで水容器の交換の手間をなくすと共にコストが安くなり、水容器の在庫保管場所の必要性や使用済み水容器の処理等が必要なくなるので、環境保護にも役立つ前記フィルタを含む浄水カートリッジ、ウォーターサーバータンク及びウォーターサーバーシステムを提供することを目的とする。
【課題を解決するための手段】
【０００７】
そのために本発明の浄水フィルタは、飲料水中の不純物等を除去する浄水フィルタにおいて、少なくとも、浄水・制菌層と、活性コーラルサンド及び銀添コーラルサンドを有するコーラルサンド層とを備えたことを特徴とする。
【０００８】
また、前記浄水・制菌層は、銀添活性炭を有する活性炭層を含むことを特徴とする。
【０００９】
また、前記コーラルサンド層は、サンゴセラミックボールを有することを特徴とする。
【００１０】
また、前記浄水・制菌層は、前記コーラルサンド層よりも上流に配置することを特徴とする。
【００１１】
また、前記コーラルサンド層は、前記活性コーラルサンドと前記銀添コーラルサンドとを混合したものであることを特徴とする。
【００１２】
また、前記コーラルサンド層は、前記活性コーラルサンドと前記銀添コーラルサンドと前記サンゴセラミックボールとを混合したものであることを特徴とする。
【００１３】
また、本発明の浄水カートリッジは、底面に穴の開いたカップ状の容器を有し、前記活性炭層は、前記銀添活性炭を前記カップ状の容器に詰めることで形成し、前記コーラルサンド層は、前記活性コーラルサンドと前記銀添コーラルサンドとを単独又は組み合わせたものを前記容器に詰めることで形成し、前記容器を複数上下に重ねて形成することを特徴とする。
【００１４】
また、本発明の浄水カートリッジの前記コーラルサンド層は、前記活性コーラルサンドと前記銀添コーラルサンドと前記サンゴセラミックボールとを単独又はそれぞれ組み合わせたものを前記容器に詰めることで形成したことを特徴とする。
【００１５】
また、本発明のウォーターサーバータンクは、飲料水を貯留する上部タンク部と、前記浄水カートリッジを着脱自在に保持する浄水カートリッジ保持手段と、前記上部タンク部に貯留された水道水が前記浄水カートリッジを通過して浄水された濾過水を貯留する下部タンク部と、を有することを特徴とする。
【００１６】
また、本発明のウォーターサーバーシステムは、前記浄水カートリッジ又は前記ウォーターサーバータンクを着脱可能であることを特徴とする。
【発明の効果】
【００１７】
それによって本発明は、簡単な構造で水から塩素やトリハロメタン等を除去し、大腸菌や一般細菌を制菌すると共に、カルシウムやマグネシウム等のミネラルを多量に含んだ美味な飲料水を得ることができる。また、水道水を使用することで水容器の交換の手間をなくすと共にコストが安くなり、水容器の在庫保管場所の必要性や使用済み水容器の処理等が必要なくなるので、環境保護にも役立つことができる。
【発明を実施するための最良の形態】
【００１８】
以下、本発明の実施の形態を図面に基づいて説明する。図１は本発明の浄水フィルタＦの第一実施形態を示す。Ｆは浄水フィルタ、１は浄水・制菌層の一例としての活性炭層、２は銀添活性炭、３はコ−ラルサンド層、４は活性コーラルサンド、５は銀添コーラルサンド、６は不織布である。
【００１９】
浄水フィルタＦは、活性炭層１とコーラルサンド層３とを使用したもので、上流側から活性炭層１、コーラルサンド層３の順に並んでいる。各層は図示しないメッシュ等の袋、容器等の内部にある。
【００２０】
活性炭層１は、水道水に含まれる塩素等の不純物や有機物を吸着・補足して除去し、浄水化する層であり、浄水作用を有する。本実施形態では、銀添活性炭２を適用する。銀添活性炭２は、椰子殻その他の活性炭の表面に銀をコーティングしたものであって、市販されているが、必ずしもこれに限らず、活性炭に銀箔等を混入したものを使用してもよい。このように銀添することによって、銀が水に触れて銀イオンを溶出するが、その銀イオンに殺菌力があるため、活性炭によって塩素を除去した水に雑菌が増殖するのを阻止できる制菌作用がある。本実施形態では、銀添活性炭２として株式会社コタベ製「粒状白鷺ＷＨＡ８２４」を使用している。
【００２１】
コーラルサンド層３は、造礁サンゴの骨格が化石化したものが粉砕され砂状になったコーラルサンドを使用することで、カルシウムイオン等を溶出し、水道水をミネラル化する層である。コーラルサンド層３には、活性コーラルサンド４と銀添コーラルサンド５とが混合されている。活性コーラルサンド４は、コーラルサンドを焼成し、ある程度の水溶解性をもたせ、水道水をアルカリ化すると共に、イオン化しやすいカルシウムやマグネシウム等のミネラル成分が溶出するものであり、浄水作用、制菌作用に加え、活性作用を有する。銀添コーラルサンド５は、コーラルサンドを焼成し、さらに銀を焼き付けたものであり、銀添活性炭２の場合と同様に、銀が水に触れて銀イオンを溶出し、銀イオンによる殺菌力で、水に雑菌が増殖するのを阻止できる制菌作用がある。これら活性コーラルサンド４と銀添コーラルサンド５とを混合することにより、制菌作用と活性作用を従来よりも格段に高くすることができる。本実施形態では活性コーラルサンド４を８０％と銀添コーラルサンド５を２０％の割合で混合しているが、この割合に限定されるものではない。本実施形態では、活性コーラルサンド４としてアイシーシー株式会社製「海の華ＲＦ−１」（登録商標）、銀添コーラルサンド５としてアイシーシー株式会社製「海の華ＳＩ−１」（登録商標）を使用している。
【００２２】
このような浄水フィルタＦを適用することにより、塩素等を除去し、イオン化したカルシウム、マグネシウム等のミネラルを溶出することで水道水をアルカリミネラルイオン水にすると共に、該アルカリミネラルイオン水に細菌や大腸菌を繁殖させることのないという効果をもたらす。
【００２３】
なお、活性炭層１とコーラルサンド層３とは、上流側に活性炭層１、下流側にコーラルサンド層３が並ぶようにするとよい。この配列により、まず、上流側にある活性炭層１で水道水を浄水し、次に、下流側にあるコーラルサンド層３で浄水した水にミネラル成分を溶出し活性化するようにする。この配列を逆にした場合、コーラルサンド層３の活性コーラルサンド４はミネラル成分を溶出し活性化するよりも浄水するために働いてしまい、ミネラル成分の溶出分が低下するのであまり好ましくない。
【００２４】
また、各層の間に不織布６を配置した場合、各層が混ざらないようになると共に、水をある程度の時間かけて下層へ流し、浄水作用、制菌作用及び活性作用の効果が増大する。
【００２５】
次に図２に本発明の浄水フィルタＦの第二実施形態を示す。図２において、７は第二コーラルサンド層、８はサンゴセラミックボールである。この実施形態では、コーラルサンド層３の下流に活性コーラルサンド４と銀添コーラルサンド５とサンゴセラミックボール８とを混合した第二コーラルサンド層７を配置したものである。
【００２６】
サンゴセラミックボール８は、コーラルサンドをセラミック化し粒状にしたものであり、水のｐｈを調整し、水のクラスターをより小さくし、超アルカリで大腸菌及び一般細菌の減菌を行い、マイナスイオンを放出するものである。本実施形態では、サンゴセラミックボール８としてアイシーシー株式会社製「海の華セラミックボール２」（登録商標）を使用している。このようにサンゴセラミックボール８を加えることで、第一実施形態で述べた効果がさらに強くなる。
【００２７】
この第二実施形態の場合も第一実施形態の場合と同様に、各層の間に不織布６を配置した場合、各層が混ざらないようになると共に、水をある程度の時間かけて下層へ流し、浄水作用、制菌作用及び活性作用の効果が増大する。
【００２８】
上記構成の浄水フィルタＦを通した濾過水を、株式会社シー・アール・シー食品環境衛生研究所により水質検査した結果を図３乃至図５に示す。図３により、この浄水フィルタＦを通過した濾過水が不純物や細菌等の基準値を満たしていることがわかる。また、図４により、この浄水フィルタＦが一般の浄水器では除去の困難なトリハロメタン等を除去していることがわかる。したがって、この浄水フィルタＦの浄水、制菌作用がすぐれていることがわかる。また、図５により、この浄水フィルタＦを通過した濾過水がカルシウムやマグネシウム等のミネラル成分を含んでいることがわかる。したがって、この浄水フィルタＦの活性作用がすぐれていることがわかる。
【００２９】
なお、第一実施形態では、活性コーラルサンド４と銀添コーラルサンド５とを混合するコーラルサンド層３を適用したが、この形態に限らず、活性コーラルサンド４と銀添コーラルサンド５とを別の層にして配置しても良い。また、第二実施形態の活性コーラルサンド４と銀添コーラルサンド５とサンゴセラミックボール８とを混合する第二コーラルサンド層７も、同様にこの形態に限らず、活性コーラルサンド４と銀添コーラルサンド５とサンゴセラミックボール８とをそれぞれ別の単独の層にして配置しても良い。
【００３０】
また、コーラルサンド層３，７は活性コーラルサンド４と銀添コーラルサンド５とサンゴセラミックボール８とをそれぞれ様々に組み合わせ、複数の層にして使用することができる。
【００３１】
次に、フィルタＦを適用するカートリッジＣについて説明する。図６はカートリッジＣを示す。図６において、Ｃはカートリッジ、１０ａは容器としての第一容器、１０ｂは容器としての第二容器、１０ｃは容器としての第三容器である。カートリッジＣは、底に穴を設けたカップ状の容器１０ａ、１０ｂ、１０ｃが上下に連結された構造であり、各容器１０ａ、１０ｂ、１０ｃ間は穴によりつながっている。第一容器１０ａは、上部周縁にカートリッジ保持手段に保持されるフランジを設け、底面に水の通過する穴を設け、下部周縁には第二容器１０ｂ又は第三容器１０ｃに連結するためのネジ部を設けたものである。第二容器１０ｂは、上部周縁に第一容器１０ａ及び他の第二容器１０ｂに連結するためのネジ部を設け、底面に水の通過する穴を設け、下部に他の第二容器１０ｂ又は第三容器１０ｃの上部ネジ部に連結するためのネジ部を設けたものである。第三容器１０ｃは、上部周縁に第一容器１０ａ又は第二容器１０ｂの下部ネジ部に連結するためのネジ部を設け、底面に水の通過する穴を設けたものである。
【００３２】
そして、各容器１０ａ、１０ｂ、１０ｃの底に不織布６を設置した状態で、第一容器１０ａに銀添活性炭２、第二容器１０ｂに活性コーラルサンド４及び銀添コーラルサンド５、第三容器１０ｃに活性コーラルサンド４、銀添コーラルサンド５及びサンゴセラミックボール８を詰め込み、容器を上下に連結する。すなわち、本実施形態では、第一容器１０ａにフィルタＦにおける活性炭層１、第二容器１０ｂにコーラルサンド層３、第三容器１０ｃに第二コーラルサンド層７を適用する。
【００３３】
なお、第二容器１０ｂに適用したコーラルサンド層３及び第三容器１０ｃに適用した第二コーラルサンド層７は、フィルタＦと同様に各コーラルサンドを単独で使用しても良い。また、コーラルサンド層３及び第二コーラルサンド層７は、活性コーラルサンド４と銀添コーラルサンド５とサンゴセラミックボール８とをそれぞれ様々に組み合わせて使用してもよい。また、第一容器１０ａの下に第三容器１０ｃを直接連結しても良い。
【００３４】
次に、この浄水フィルタＦを含むカートリッジＣをウォーターサーバータンクＴに適用したものについて説明する。図７及び図８は本実施形態のウォーターサーバータンクＴ及びウォーターサーバーＷを有するウォーターサーバーシステムを示す図である。図７及び図８において、Ｃはカートリッジ、Ｔはウォーターサーバータンク、Ｗはウォーターサーバー、１１は上部タンク部、１２は上部タンク蓋、１３は上部タンク、１４は通水口、１５は第一ネジ、１６は保持手段の一例としてのタンク接続部品、１７は下部タンク部、１８は下部タンク、１９はフロート、２０は第二ネジ、２１はサーバー蓋、２２は中蓋、２３は表示パネル、２４はボタン、２５は冷水ノズル、２６は温水ノズル、２７は受け皿、２８はコップ棚を示す。
【００３５】
ウォーターサーバータンクＴは、上部タンク部１１と、タンク接続部品１６と、下部タンク部１７とを有し、一般のウォーターサーバーＷに取付可能である。また、内部にカートリッジＣを含んでいる。
【００３６】
上部タンク部１１は、上部タンク蓋１２と、上部タンク１３と、通水口１４と、第一ネジ１５とを有している。上部タンク１３は、上部が開口し、直径の大きい貯水部１３ａと、下部に直径の小さい通水部１３ｂと、貯水部１３ａと通水部１３ｂとの間に設けられ中心にネジ止め穴１３ｃを有する通水口設置部１３ｄとを有し、開口した上部は上部タンク蓋１２で覆う。通水口１４は、通水部１３ｂに整流して水道水等を流すための部材であり、側面に通水穴１４ａを有し、通水部１３ｂの上の通水口設置部１３ｄに載せた状態で、下からネジ止め穴１３ｃを挿通した通水口と第一ネジ１５とで締結することにより上部タンク１３に固定される。第一ネジ１５は、中央に貫通穴１５ａを有しており、通水口１４を通過した水道水等が該貫通穴１５ａを通過し、カートリッジＣに流れるようになっている。
【００３７】
保持手段の一例としてのタンク接続部品１６は、中心に浄水フィルタＦを含むカートリッジＣのフランジを保持するための開口部を有し、上部タンク１３と下部タンク１６の間に狭持されている。
【００３８】
下部タンク部１７は、下部タンク１８と、フロート１９と、第二ネジ２０とを有している。下部タンク１８は、上部が大きく開口し、該上部にはタンク接続部品１６が載置され、下部に中心にネジ止め穴１８ａを有するフロート設置部１８ｂを有する。フロート設置部１８ｂでは、下からネジ止め穴１８ａを通過したフロート１９を上から第二ネジ２０を締結することにより固定する。フロート１９は、上部に開閉弁１９ａを有し、後述するサーバー内タンク２９に濾過水を通過させ、下部に該サーバー内タンク２９の濾過水がいっぱいになると浮かび上がるフロート部１９ｂを有することで、濾過水を通過又は遮断する第二ネジ２０は、中央に貫通穴２０ａを有しており、下部タンク１８に貯留した水が該貫通穴２０ａを通過できるようになっている。
【００３９】
このウォーターサーバータンクＴは、ウォーターサーバーＷ上部のサーバー蓋２１及び中蓋２２をはずし設置する。
【００４０】
ウォーターサーバーＷの表示パネル２３は、電源のＯＮ／ＯＦＦ状態、冷水・温水の有無、温水の温度等を表示するパネルである。ボタン２４は、冷水ボタン２４ａ及び温水ボタン２４ｂを有し、冷水・温水を選択して排出するためのものである。冷水ノズル２５は冷水を、温水ノズル２６は温水を、それぞれ排出するノズルである。受け皿２７は、コップ等を置く水平な板状の部分であり、冷水ノズル２５及び温水ノズル２６の真下に位置する。コップ棚２８は、コップ等を保管しておく空間であり、殺菌機能がついており、常に清潔にしている。
【００４１】
次に図７乃至図９によりこのウォーターサーバータンクＴ及びウォーターサーバーＷの使用方法を示す。図９において、２９はサーバー内タンク、３０は冷水タンク、３１は温水タンクを示す。
【００４２】
まず、前述したウォーターサーバータンクＴを、ウォーターサーバーＷに設置する。次に、上部タンク蓋１２をはずし、水道水等を上部タンク１３に注ぐ。この注ぎ方については予め容器等に入れた水を注いでも良いし、水道水を蛇口やホース等を介して上部タンク１３に注いでも良い。上部タンク１３に溜まった水は通水口１４の通水穴１４ａを通ってカートリッジＣの浄水フィルタＦに流入する。浄水フィルタＦに流入した水は活性炭槽１とコーラルサンド層３とを通過して下部タンク１８に濾過水として貯留される。この時、カートリッジを通過するには１０Ｌで約１５分の時間がかかるように活性炭層１やコーラルサンド層３の材料の粒径や不織布６等で調整する。なお、時間はどのように調整しても良い。
【００４３】
下部タンク１８に貯留された濾過水はウォーターサーバーＷ内のサーバー内タンク２９に貯留される。この時、貯留される濾過水の量が多くなると、該濾過水によりウォーターサーバータンクＴのフロート１９が浮き上がり、下部タンク１８との間の通路を遮断する。ウォーターサーバーＷ内のサーバー内タンク２９に貯留された濾過水は、冷水タンク３０、温水タンク３１にそれぞれ流され、貯留される。
【００４４】
使用者は、まず、コップ等の容器を受け皿２７の上で冷水ノズル２５及び温水ノズル２６の真下に載置する。次に、冷水を飲む場合は冷水ボタン２４ａを、温水を飲む場合は温水ボタン２４ｂを押す。冷水ボタン２４ａが押されると冷水ノズル２５から冷水が排出され、温水ボタン２４ｂが押されると温水ノズル２６から温水が排出される。それぞれのノズルから排出された濾過水は受け皿２７の上に載置したコップ等に注がれる。
【００４５】
このように本発明の浄水フィルタＦを、浄水カートリッジ、ウォーターサーバータンク及びウォーターサーバーに適用することにより、従来ミネラルウォーターの入ったタンクを購入し交換していたシステムが、浄水カートリッジの交換のみで水道水を美味なアルカリミネラルイオン水に変えるので、従来のウォーターサーバーシステムで存在していた雑菌の繁殖、水容器の交換の手間、水容器の在庫保管場所の必要性及び使用済み水容器の処理等が解消され、環境保護にも役立ちコストも安く美味なアルカリミネラルイオン水を提供することができる。
【００４６】
なお、本実施形態では浄水フィルタＦを、ウォーターサーバーＷのウォーターサーバータンクＴ内のカートリッジＣに使用したが、例えば、水道管に連結された浄水器等に使用することで、より手軽に水道水をミネラルウォーターにすることができる。
【００４７】
また、本実施形態のウォーターサーバーシステムは、ウォーターサーバータンクＴにフィルタＦを着脱可能に設けてもよい。また、ウォーターサーバーＷ内にウォーターサーバータンクＴを内蔵してもよい。また、ウォーターサーバーＷ内のサーバー内タンク２９、冷水タンク３０又は温水タンク３１等のタンクにフィルタＦ又はカートリッジＣを着脱可能に設けてもよい。さらに、ウォーターサーバーＷは本実施形態に記載された構造に限らず、一般に使用されているものでもよい。
【００４８】
また、ウォーターサーバーＷ内のサーバー内タンク２９、冷水タンク３０又は温水タンク３１等内にサンゴセラミックボール８を入れることで、ミネラルの溶出及び制菌作用をより強化することができる。さらに、ウォーターサーバーＷに、ウォーターサーバータンクＴから水を早く流すためにコンプレッサやポンプを備えても良い。
【図面の簡単な説明】
【００４９】
【図１】第一実施形態の浄水フィルタを示す図
【図２】第二実施形態の浄水フィルタを示す図
【図３】本実施形態の浄水の水質を示す図
【図４】本実施形態の浄水の水質を示す図
【図５】本実施形態の浄水の水質を示す図
【図６】本実施形態のカートリッジを示す図
【図７】本実施形態のウォーターサーバータンクを示す図
【図８】本実施形態のウォーターサーバーシステムを示す図
【図９】本実施形態のウォーターサーバーシステムの概略図
【符号の説明】
【００５０】
Ｆ…浄水フィルタ、Ｃ…カートリッジ、Ｔ…ウォーターサーバータンク、Ｗ…ウォーターサーバー、１…活性炭層、２…銀添活性炭、３…コ−ラルサンド層、４…活性コーラルサンド、５…銀添コーラルサンド、６…不織布、７…第二コーラルサンド層、８…サンゴセラミックボール、１０ａ…第一容器、１０ｂ…第二容器、１０ｃ…第三容器、１１…上部タンク部、１２…上部タンク蓋、１３…上部タンク、１４…通水口、１５…第一ネジ、１６…カートリッジ保持手段の一例としてのタンク接続部品、１７…下部タンク部、１８…下部タンク、１９…フロート、２０…第二ネジ、２１…サーバー蓋、２２…中蓋、２３…表示パネル、２４…ボタン、２５…冷水ノズル、２６…温水ノズル、２７…受け皿、２８…コップ棚、２９…サーバー内タンク、３０…冷水タンク、３１…温水タンク
【図１】
2007136304.tif 000003
【図２】
2007136304.tif 000004
【図３】
2007136304.tif 000005
【図４】
2007136304.tif 000006
【図５】
2007136304.tif 000007
【図６】
2007136304.tif 000008
【図７】
2007136304.tif 000009
【図８】
2007136304.tif 000010
【図９】
2007136304.tif 000011